(57)【要約】【課題】表示される図形の視認性を高めつつ省エネルギー化を図ることができる表示装置、画像形成装置、及び表示方法を提供することを目的とする。【解決手段】図形情報を表す図形を、表示領域５０Ａにおいて当該図形の線を第２のバックライト５２による光を透過させることにより表示させ、複数の表示領域５０Ａ〜５０Ｉにおいて当該図形の線を除く部分に対応する液晶によって第２のバックライト５２による光を遮断させる省エネルギー表示モードを実行する。【選択図】図３
2011137976.tif 000002
【特許請求の範囲】
【請求項１】
予め、複数の表示領域に区分された、液晶による表示画面と、前記複数の表示領域の全てを照明する第１のバックライトと、前記複数の表示領域のうち予め定められたいずれかの表示領域を照明する第２のバックライトと、を備える液晶ディスプレイと、
前記表示画面に表示すべき図形を表す図形情報を受信する受信部と、
前記受信部により受信された図形情報を表す前記図形を、前記液晶ディスプレイにより、前記予め定められたいずれかの表示領域において当該図形の線を前記第２のバックライトによる光を透過させることにより表示させ、前記複数の表示領域において当該図形の線を除く部分に対応する液晶によって前記第２のバックライトによる光を遮断させる省エネルギー表示モードを実行する表示コントローラと、
を備えることを特徴とする表示装置。
【請求項２】
前記図形は、文字図形であることを特徴とする請求項１に記載の表示装置。
【請求項３】
前記液晶ディスプレイは、前記表示画面を有するタッチパネルを備えており、
前記表示画面には、前記図形の線として操作ボタンを表す図形の線が表示されることを特徴とする請求項１に記載の表示装置。
【請求項４】
前記液晶ディスプレイに駆動電力を供給する電源部をさらに備えており、
前記表示コントローラは、
前記電源部による前記液晶ディスプレイへの前記駆動電力の供給を中止する表示電力供給中止モードをさらに実行することを特徴とする請求項１乃至請求項３のいずれか一項に記載の表示装置。
【請求項５】
請求項１乃至請求項３のいずれか一項に記載の表示装置と、
原稿の画像を表す画像データを受け付ける画像データ受付部と、
前記画像データ受付部が受け付けた画像データを記録紙に形成する画像形成部と、
前記画像データ受付部により受け付けた画像データを前記画像形成部により前記記録紙に形成させる画像形成処理を実行するコントローラと、
前記表示装置により、前記省エネルギー表示モード、及び、前記図形の線に対応する液晶により前記第１のバックライトからの光を遮断させることにより前記図形を前記表示画面に表示させる通常表示モードのいずれを実行させるかの選択を受け付ける選択受付部と、
を備えており、
前記表示装置の前記表示コントローラは、
前記選択受付部における選択状態に応じて、前記省エネルギー表示モード及び前記通常表示モードのいずれか一方を選択的に実行することを特徴とする画像形成装置。
【請求項６】
前記表示装置は、前記液晶ディスプレイに駆動電力を供給する電源部をさらに備えており、
前記選択受付部は、前記電源部による前記液晶ディスプレイへの前記駆動電力の供給を中止する表示電力供給中止モードの選択をさらに受け付け、
前記表示装置の前記表示コントローラは、
前記選択受付部における選択状態に応じて、前記省エネルギー表示モード、前記通常表示モード、及び前記表示電力供給中止モードのいずれかを選択的に実行することを特徴とする請求項５に記載の画像形成装置。
【請求項７】
表示コントローラが、
前記表示画面に表示すべき図形を表す図形情報を受け付ける受付ステップと、
複数の表示領域に区分された、液晶による表示画面において、予め定められたいずれかの表示領域において、前記外部装置により受信された図形情報を表す前記図形を、当該図形の線を、前記いずれかの表示領域を照明するバックライトによる光を透過させることにより表示させ、前記複数の表示領域において当該図形の線を除く部分に対応する液晶によって前記バックライトによる光を遮断させる省エネルギー表示ステップと、
を実行することを特徴とする表示方法。
【発明の詳細な説明】
【技術分野】
【０００１】
本発明は、表示装置、画像形成装置、及び表示方法に関するものである。
【背景技術】
【０００２】
ファクシミリ装置、複写機、複合機など、操作部としてタッチパネル式の液晶ディスプレイを用いた機器が存在する。この種の機器は、待機状態及びコピーなどの処理を行っている状態において、操作ボタンや文字を表す図形をタッチパネルに表示させる。
【０００３】
この種の液晶ディスプレイには、タッチパネルを照明するバックライトが設けられている。この種のバックライトによるタッチパネルの照明に要される電力は、液晶ディスプレイの駆動に要される電力の多くを占めている。このため、バックライトの消費電力を削減することは重要である。
【０００４】
特許文献１には、液晶表示画面を照明するバックライトの消費電力の削減を図ることができる装置が例示されている。この種の装置では、液晶表示画面の背面側に設けられた複数のバックライトのうち、液晶表示画面に表示されるべき黒色の文字に対応するバックライトのみが点灯する一方で、当該黒色の文字に対応しないバックライトが消灯するように構成されている。これにより、液晶表示画面において、黒色の文字を含む一定の領域のみが明るい状態で表示される一方で、当該文字を含まない領域が暗い状態で表示される。
【先行技術文献】
【特許文献】
【０００５】
【特許文献１】特開２００３−２７９９２７号公報
【発明の概要】
【発明が解決しようとする課題】
【０００６】
ところが、特許文献１の装置では、文字が表示されている領域において、バックライトから離れた位置ほどバックライトによる光が届きにくくなる傾向にある。これにより、液晶表示画面は、文字から離れるにつれて薄暗くなる。この場合、文字の視認性が悪くなる。
【０００７】
本発明は、上記問題を解決するために提案されるものであり、表示される図形の視認性を高めつつ省エネルギー化を図ることができる表示装置、画像形成装置、及び表示方法を提供することを目的とする。
【課題を解決するための手段】
【０００８】
本発明の一局面に係る表示装置は、予め、複数の表示領域に区分された、液晶による表示画面と、前記複数の表示領域の全てを照明する第１のバックライトと、前記複数の表示領域のうち予め定められたいずれかの表示領域を照明する第２のバックライトと、を備える液晶ディスプレイと、前記表示画面に表示すべき図形を表す図形情報を受信する受信部と、前記受信部により受信された図形情報を表す前記図形を、前記液晶ディスプレイにより、前記予め定められたいずれかの表示領域において当該図形の線を前記第２のバックライトによる光を透過させることにより表示させ、前記複数の表示領域において当該図形の線を除く部分に対応する液晶によって前記第２のバックライトによる光を遮断させる省エネルギー表示モードを実行する表示コントローラと、を備えることを特徴とする（請求項１）。
【０００９】
この構成によれば、省エネルギー表示モードでは、液晶ディスプレイが、予め定められたいずれかの表示領域において、受信部により受信された図形情報で表される図形の線を第２のバックライトによる光を透過させることにより当該図形を表示させ、複数の表示領域において当該図形の線を除く部分に対応する液晶により第２のバックライトによる光を遮断させる。
【００１０】
これにより、省エネルギー表示モードでは、表示画面の一部において受信部により受信した図形情報で表される図形の線の部分のみが明るくなり、表示画面の全体において当該図形の線を除く部分が暗くなる。
【００１１】
以上のように、省エネルギー表示モードでは、表示画面の一部のみを第２のバックライトによる光を透過させることにより、受信部により受信した図形情報で表される図形の線を表示するため、図形の周辺部は光が遮断されて黒一色となる。
【００１２】
これにより、従来のように図形の線を、当該図形の線に対応する液晶により表示画面全体を照明するバックライトによる光を遮断することにより表示する場合と比べて、表示される図形の視認性を高めつつ省エネルギー化を図ることができる。
【００１３】
上記構成において、前記図形は、文字図形であることが好ましい（請求項２）。
【００１４】
この構成によれば、表示画面の予め定められた表示領域において、第２のバックライトによる光が透過した部分によって、文字図形の線が表示される。これにより、表示画面において、文字図形の線の部分だけが明るくなるため、当該文字図形の視認性が向上する。
【００１５】
上記構成において、前記液晶ディスプレイは、前記表示画面を有するタッチパネルを備えており、前記表示画面には、前記図形の線として操作ボタンを表す図形の線が表示されることが好ましい（請求項３）。
【００１６】
この構成によれば、タッチパネルの表示画面の予め定められた表示領域において、第２のバックライトによる光が透過した部分によって、操作ボタンを表す図形の線が表示される。これにより、タッチパネルの表示画面において、操作ボタンを表す図形の線の部分だけが明るくなるため、タッチパネルの操作性が向上する。
【００１７】
上記構成において、前記液晶ディスプレイに駆動電力を供給する電源部をさらに備えており、前記表示コントローラは、前記電源部による前記液晶ディスプレイへの前記駆動電力の供給を中止する表示電力供給中止モードをさらに実行することが好ましい（請求項４）。
【００１８】
この構成によれば、電源部による液晶ディスプレイへの駆動電力の供給が中止されるため、さらに省エネルギー化を図ることができる。
【００１９】
また、本発明の他の局面に係る画像形成装置は、請求項１乃至請求項３のいずれか一項に記載の表示装置と、原稿の画像を表す画像データを受け付ける画像データ受付部と、前記画像データ受付部が受け付けた画像データを記録紙に形成する画像形成部と、前記画像データ受付部により受け付けた画像データを前記画像形成部により前記記録紙に形成させる画像形成処理を実行するコントローラと、前記表示装置により、前記省エネルギー表示モード、及び、前記図形の線に対応する液晶により前記第１のバックライトからの光を遮断させることにより前記図形を前記表示画面に表示させる通常表示モードのいずれを実行させるかの選択を受け付ける選択受付部と、を備えており、前記表示装置の前記表示コントローラは、前記選択受付部における選択状態に応じて、前記省エネルギー表示モード及び前記通常表示モードのいずれか一方を選択的に実行することを特徴とする（請求項５）。
【００２０】
この構成によれば、画像形成装置において、選択受付部における選択状態に応じて、省エネルギー表示モード及び通常表示モードのいずれか一方が選択的に実行される。
【００２１】
これにより、ユーザの所望により、省エネルギー表示モード及び通常表示モードのいずれか一方を実行することができ、ユーザにとっての使い勝手を向上させた画像形成装置を提供することができる。
【００２２】
上記構成において、前記表示装置は、前記液晶ディスプレイに駆動電力を供給する電源部をさらに備えており、前記選択受付部は、前記電源部による前記液晶ディスプレイへの前記駆動電力の供給を中止する表示電力供給中止モードの選択をさらに受け付け、前記表示装置の前記表示コントローラは、前記選択受付部における選択状態に応じて、前記省エネルギー表示モード、前記通常表示モード、及び前記表示電力供給中止モードのいずれかを選択的に実行することが好ましい（請求項６）。
【００２３】
この構成によれば、画像形成装置において、選択受付部における選択状態に応じて、表示電力供給中止モードがさらに選択的に実行される。
【００２４】
これにより、さらに省エネルギー効果を高めた画像形成装置を提供することができる。
【００２５】
また、本発明のさらに他の局面に係る表示方法は、表示コントローラが、前記表示画面に表示すべき図形を表す図形情報を受け付ける受付ステップと、複数の表示領域に区分された、液晶による表示画面において、予め定められたいずれかの表示領域において、前記外部装置により受信された図形情報を表す前記図形を、当該図形の線を、前記いずれかの表示領域を照明するバックライトによる光を透過させることにより表示させ、前記複数の表示領域において当該図形の線を除く部分に対応する液晶によって前記バックライトによる光を遮断させる省エネルギー表示ステップと、を実行することを特徴とする（請求項７）。
【００２６】
この方法によれば、受付ステップで受け付けた図形情報で表される図形の線を、液晶ディスプレイが、予め定められたいずれかの表示領域において第２のバックライトによる光を透過させることにより表示させ、複数の表示領域において当該図形の線を除く部分に対応する液晶により第２のバックライトによる光を遮断させる。
【００２７】
これにより、省エネルギー表示モードでは、表示画面の一部において、図形情報で表される図形の線の部分のみが明るくなり、表示画面の全体において当該図形の線を除く部分が暗くなる。
【００２８】
以上のように、表示画面の一部のみを第２のバックライトによる光を透過させることにより、図形情報で表される図形の線を表示するため、図形の周辺部は光が遮断されて黒一色となる。
【００２９】
これにより、従来のように図形の線を、当該図形の線に対応する液晶により表示画面全体を照明するバックライトによる光を遮断することにより表示する場合と比べて、表示される図形の視認性を高めつつ省エネルギー化を図ることができる。
【発明の効果】
【００３０】
本発明によれば、表示される図形の視認性を高めつつ省エネルギー化を図ることができる。これにより、ユーザーフレンドリーとエコロジーに配慮した表示装置、画像形成装置、及び表示方法を提供することができる。
【図面の簡単な説明】
【００３１】
【図１】本発明の一実施形態に係る画像形成装置の構成の一例を模式的に示した縦断面図である。
【図２】複合機の機能モジュールの一例を示したブロック図である。
【図３】ユーザインタフェース部の構成の一例を示した正面図である。
【図４】通常表示モードで表示画面に表示された待機画面の一例を示した図である。
【図５】省エネルギー表示モードで表示画面に表示されたコピー中表示画面の一例を示した図である。
【図６】省エネルギー表示モードで表示された操作ボタンの一例を示した図である。
【図７】通常表示モードで表示画面に表示されたコピー中表示画面の他の例を示した図である。
【図８】本発明の一実施形態に係る表示装置の基本動作の一例を示したフローチャートである。
【発明を実施するための形態】
【００３２】
以下、本発明の一実施形態に係る表示装置、画像形成装置、及び表示方法について説明する。図１は、本発明の一実施形態に係る画像形成装置の構成の一例を模式的に示した縦断面図である。尚、図１では、本発明の一実施形態に係る画像形成装置の一例として、カラーコピー、スキャナ、ファクシミリ、プリンタ等の機能を備えた複合機１が示されている。
【００３３】
複合機１は、大きく分けて、画像読取部２と装置本体３とからなる。画像読取部２は、原稿給紙部２１と、スキャナ部２２と、ＣＩＳ２３１と、ユーザインタフェース部５と、後述する反転機構を備えてなる。
【００３４】
原稿給紙部２１は、ＡＤＦ（Ａｕｔｏｍａｔｉｃ  Ｄｏｃｕｍｅｎｔ  Ｆｅｅｄｅｒ）を備え、原稿トレイ２１１、ピックアップローラ２１２、プラテン２１３、排紙ローラ２１４及び排紙トレイ２１５を有する。原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００３５】
前記プラテン２１３の周面に対向する位置のうち、原稿の搬送方向において読取位置Ｐより手前の予め定められた位置には、用紙を検出する図略のタイミングセンサが設置されており、該タイミングセンサの出力信号に基づき、前記読取位置Ｐへの原稿の搬送タイミングが図られる。前記タイミングセンサは、例えばフォトインタラプタにより構成される。
【００３６】
スキャナ部２２は、原稿の画像を光学的に読み取って画像データを生成するものである。スキャナ部２２は、ガラス２２１、光源２２２、第１ミラー２２３、第２ミラー２２４、第３ミラー２２５、第１キャリッジ２２６、第２キャリッジ２２７、結像レンズ２２８、ＣＣＤ（Ｃｈａｒｇｅｄ  Ｃｏｕｐｌｅｄ  Ｄｅｖｉｃｅ）２２９を備える。
【００３７】
このスキャナ部２２は、光源２２２として冷陰極蛍光管等の白色蛍光ランプが用いられ、前記第１ミラー２２３、第２ミラー２２４、第３ミラー２２５、第１キャリッジ２２６、第２キャリッジ２２７及び結像レンズ２２８により、原稿からの光をＣＣＤ２２９に導く。スキャナ部２２は、光源２２２として冷陰極蛍光管等の白色蛍光ランプを用いて構成されていることから、光源として３色ＬＥＤ等が用いられる後述のＣＩＳ２３１よりも色再現性に優れる。
【００３８】
ガラス２２１には、前記原稿給紙部２１によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００３９】
画像読取部２の原稿読取方式として、ガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。
【００４０】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。
【００４１】
ＣＣＤ２２９は一次元のイメージセンサであり、１ライン分の原稿の画像データを同時に処理する。第１キャリッジ２２６及び第２キャリッジ２２７は、主走査方向と直交する方向（副走査方向、矢印Ｙ方向）に移動可能に構成されており、１ライン分の読み取りが終了すると、副走査方向に第１キャリッジ２２６及び第２キャリッジ２２７が移動し、次のラインの読み取りが行われる。
【００４２】
ＡＤＦ読取モードでは、原稿給紙部２１が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐに配置される。
【００４３】
原稿給紙部２１による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００４４】
更に、原稿給紙部２１は、切換ガイド２１６、反転ローラ２１７及び反転搬送路２１８を備えた原稿反転機構を有する。この原稿反転機構が、１回目のＡＤＦ読み取りによって表面が読み取られた原稿を表裏反転させて読取窓２３０に再搬送することで、再度ＣＣＤ２２９によって裏面の読み取りが行われる。
【００４５】
この原稿反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。
【００４６】
両面読み取り時における表面読み取り後、切換ガイド２１６は下側に切り替えられ、プラテン２１３を経た原稿は反転ローラ２１７によって反転搬送路２１８へ搬送される。その後、切換ガイド２１６は上側へ切り替わり、反転ローラ２１７が逆回転して原稿をプラテン２１３へ再給紙する。以下、原稿反転機構を用いて原稿の両面を読み取らせるモードを両面反転読取モードと表記する。
【００４７】
更に、本実施形態の画像読取部２は、ＡＤＦ読取モード時において、前述したように原稿の搬送途中でＣＣＤ２２９（スキャナ部２２）によって原稿の表面の読み取りを行わせると略同時に（略並行して）、ＣＩＳ２３１によって原稿の裏面の読み取りを行わせることが可能である。この場合、原稿トレイ２１１から原稿給紙部２１により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。
【００４８】
このようにＣＣＤ２２９とＣＩＳ２３１を用いることで、原稿給紙部２１による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モードと表記する。
【００４９】
この両面反転読取モード及び両面同時読取モードは、ＡＤＦ読取モードを用いて原稿の両面読み取りを行う際の読取モードとして備えられている。両面反転読取モードは、両面の印刷画像の画質を揃えたい場合に利用される一方、両面同時読取モードは、両面の印刷画像の画質に差があっても、読取時間の短縮化を優先させたい場合に利用される。なお、本実施形態における複合機１は、両面同時読取モードに初期設定されており、前記読取モードのモード設定操作が何も行われないまま画像形成指示が入力された場合には、両面同時読取モードで原稿の画像読取動作が行われるようになっている。
【００５０】
複合機１は、装置本体３と、装置本体３の左方に配設されたスタックトレイ６とを有している。装置本体３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備える。また、装置本体３は、給紙トレイ４７１と該給紙トレイ４７１に載置された原稿を１枚ずつ画像形成部４０に向けて繰り出す繰り出しローラ４７２とを備える。
【００５１】
画像形成部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３の表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。
【００５２】
なお、シアン、マゼンタ、イエロー及びブラックの各色に対するトナーの供給は、図略のトナーカートリッジから行われる。また、画像形成部４０を通過した記録紙をスタックトレイ６又は排出トレイ４８まで搬送する搬送ローラ４６３，４６４等が設けられている。
【００５３】
記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像を形成した後、記録紙をスタックトレイ６又は排出トレイ４８に排出する。
【００５４】
また、装置本体３の前方には、液晶により文字を表す図形や操作ボタンを表す図形を表示するための液晶表示画面（表示画面）５、及び、各種の操作ボタンを有する操作部１７が組み込まれたユーザインタフェース部Ｉが、装置本体３の前方に露出するように設けられている。
【００５５】
図２は、複合機１の機能モジュールの一例を示したブロック図である。
【００５６】
図２に示されるように、複合機１は、先述されたユーザインタフェース部Ｉ、複合機１を統括的に制御するコントローラ１０、パーソナルコンピュータなどの外部の装置を接続するための外部インタフェース１１、画像読取部２、画像形成部４０、画像読取部２で読み取られた原稿の画像データ、或いは、外部インタフェース１１で得られた画像データを処理する画像処理部１４、複合機１が動作するための各種のデータを記憶するための、ＲＯＭ（Ｒｅａｄ  Ｏｎｌｙ  Ｍｅｍｏｒｙ）１５、及び、ＲＡＭ（Ｒａｍｄｏｍ  Ａｃｃｅｓｓ  Ｍｅｍｏｒｙ）１６、を備える。
【００５７】
尚、画像読取部２及び画像形成部４０の機能は先述された通りであるため、説明を省略する。
【００５８】
ユーザインタフェース部Ｉは、本発明の一実施形態に係る表示装置Ａと、操作部１７とを備える。表示装置Ａは、ＬＣＤ（Ｌｉｑｕｉｄ  Ｃｒｙｓｔａｌ  Ｄｉｓｐｌａｙ）５、図形情報受信部（受信部）５３、電源部５４、及びＬＣＤコントローラ（表示コントローラ）５５を備える。
【００５９】
表示装置Ａにおいて、図形情報受信部５３は、表示装置Ａの外部（例えばコントローラ１０）から、図形を表す図形情報を受信する。ここにおいて、図形情報受信部５３が受信する図形情報は、この図形情報で表される図形の線がＬＣＤ５において黒色で表示される一方で当該図形の線を除く部分がＬＣＤ５において白色で表示される図形情報である。
【００６０】
以下の説明において、図形情報は、当該図形情報で表される図形の線がＬＣＤ５において黒色で表示される一方で当該図形の線を除く部分がＬＣＤ５において白色で表示される図形情報である。電源部５４は、ＬＣＤ５の駆動電力を供給する。ＬＣＤコントローラ５５は、コントローラ１０の制御下で、ＬＣＤ５全体を制御する。
【００６１】
ＬＣＤ５には、タッチパネル５００が搭載されている。このようなＬＣＤ５は、第１のバックライト５１と第２のバックライト５２とを備える。タッチパネル５００は、液晶によるモノクロ表示を行う表示画面５０と、タッチパッドのような位置入力装置（不図示）とを組み合わせて構成された電子部品であり、ユーザが表示画面５０上の表示を押すことで複合機１を操作する入力装置を構成している。
【００６２】
タッチパネル５００において、表示画面５０では、文字や操作ボタンを表す図形を表示するため、画素毎に所定の方向を向いた複数の液晶が配置されている。各液晶に印加される電界の大きさはＬＣＤコントローラ５５（図２参照）により制御される。これにより、各液晶が、表示画面５０において、第１のバックライト５１及び第２のバックライト５２の各々からの光を透過若しくは遮断させる。
【００６３】
図３は、ユーザインタフェース部Ｉの構成の一例を示した正面図である。表示画面５０は、図３に示されるように、９個の表示領域５０Ａ〜５０Ｉに区分されている。第１のバックライト５１は、表示画面５０の背面側に設けられており、表示画面５０の背面側から表示画面５０の全面（表示領域５０Ａ〜５０Ｉの全て）を照明する。
【００６４】
第２のバックライト５２は、表示画面５０の背面側に設けられており、表示画面５０の背面側から表示画面５０の一部の領域（表示領域５０Ａ）を照明する。ここにおいて、第２のバックライト５２は、表示画面５０の一部の面積が小さな領域（表示領域５０Ａ）を照明する観点から、例えば、発光ダイオードで構成されている。尚、第２のバックライト５２は、表示画面５０の一部を照明する観点から、１個の表示領域を照明するだけではなく、２個以上の表示領域を照明してもよい。
【００６５】
また、第１のバックライト５１及び第２のバックライト５２が設置される場所としては、表示画面５０の背面側以外の位置であってもよい。この場合、第１のバックライト５１及び第２のバックライト５２から照射された光を、導光部材によって表示画面５０の背面側へ導光すれば、第１のバックライト５１及び第２のバックライト５２からの光で表示画面５０の背面側を照明することができる。
【００６６】
また、ユーザインタフェース部Ｉは、図３に示されるように、操作部１７として、操作ボタン１７Ａ〜１７Ｉを備える。操作ボタン１７Ａ〜１７Ｄは、まとまった状態で機能選択ボタン群１７０を構成している。操作ボタン１７Ａから１７Ｄの各々は、コピー、プリンタ、スキャナ、及びＦＡＸのいずれか１つの機能を複合機１に実行させるためにユーザが操作する操作ボタンである。
【００６７】
操作ボタン１７Ｉは、複数まとまった状態で数字キー群を構成している。この数字キー群は、例えば、複合機１のコピー機能を動作させる際はコピー枚数を、ファクシミリ機能を動作させる際は送信先の電話番号等を入力するためのものである。
【００６８】
操作ボタン（選択受付部）１７Ｅは、モード切替ボタンを構成しており、表示装置Ａにより、通常表示モード（後述）及び省エネルギー表示モード（後述）のいずれのモードを実行するかの選択を受け付けるボタンである。ここにおいて、操作ボタン１７Ｅの操作によりモードが選択されたときには、選択されたモードのフラグが、例えばＬＣＤコントローラ５５により、表示装置Ａ内の図示しないメモリに保存される。或いは、選択されたモードのフラグが、コントローラ１０によりＲＡＭ１６に保存される。
【００６９】
操作ホタン１７Ｆは、リセットボタンを構成しており、表示画面５０の表示や各種設定を初期状態又は標準動作状態にするボタンである。
【００７０】
操作ボタン１７Ｇは、ストップ／クリアボタンを構成しており、コピー動作やスキャナ動作等の停止、入力操作の取り消しを行うボタンである。操作ボタン１７Ｈは、スタートボタンを構成しており、コピー動作やスキャナ動作等を開始させるボタンである。
【００７１】
以下、複合機１の基本動作を、図４〜図７を用いて説明する。図４は通常表示モードで表示画面５０に表示された待機画面の一例を示した図である。図５は、省エネルギー表示モードで表示画面５０に表示されたコピー中表示画面の一例を示した図である。図６は、省エネルギー表示モードで表示された操作ボタンの一例を示した図である。図７は、通常表示モードで表示画面５０に表示されたコピー中表示画面の他の例を示した図である。
【００７２】
ここにおいて、コピー中表示画面とは、複合機１においてコピーが実行されているときに、コピーが通知されていることや、記録紙のサイズ、コピー部数など、コピーを行うに際してユーザに通知することが必要な図形が表示されている画面のことをいう。
【００７３】
複合機１が待機状態であるときには、表示装置Ａは、図４に示されるような待機画面を表示画面５０で表示する。この種の待機画面は、通常表示モード、省エネルギー表示モード、及び、表示電力供給中止モードのいずれかのモードが実行可能な状態とされているときにおいても、通常表示モードが実行されて表示される画面である。
【００７４】
このような待機画面では、第１のバックライト５１により、複数の表示領域５０Ａ〜５０Ｉの全てが照明されて、操作ボタン５６を表す図形の線、及び、文字５７を表す図形の線が表示される。ここにおいて、操作ボタン５６を表す図形の線は、枠５６Ａと、枠５６Ａ内の文字を表す線５６Ｂとを意味する。例えば、「Ａ４普通紙」を選択するための操作ボタン５６は、「Ａ４普通紙」という文字を囲む枠５６Ａと、「Ａ４普通紙」という文字の線５６Ｂとからなる。また、文字５７を表す図形の線は、この待機画面では、「コピーできます」という文字の線である。
【００７５】
このような図形の線は、表示画面５０において、当該図形の線の部分に対応する液晶が第１のバックライト５１からの光を遮断し、当該図形の線を除く部分に対応する液晶が第１のバックライト５１からの光を透過させることによって、白色の背景の中の黒色の線として表示される。
【００７６】
尚、操作ボタン５６としては、画像データが形成されるべき記録紙の種類を選択するためのボタン、記録紙に形成される画像データの、原稿画像に対する倍率を設定するためのボタン、記録紙に形成される画像データの濃度を設定するためのボタン、などが挙げられる。
【００７７】
このような待機画面が表示画面５０に表示された状態で、操作ボタン１７Ａが操作されることにより、コピーの実行が指示されたときには、ＬＣＤコントローラ５５は、省エネルギー表示モード、通常表示モード、及び、表示電力供給中止モードのいずれのモードが実行可能な状態とされているかに応じて、それぞれ異なる処理を行う。
【００７８】
ＬＣＤコントローラ５５は、省エネルギー表示モードが選択されているときにコピーの実行が指示されたときには、以下の処理を行う。
【００７９】
ＬＣＤコントローラ５５は、待機状態では、表示画面５０の全体において、図形の線の部分を黒、図形を除く部分（背景）を白でそれぞれ表示していた。しかしながら、省エネルギー表示モードでは、表示画面５０の一部（表示領域５０Ａ）のみにおいて、図形の線の部分を白、図形の線を除く部分（背景）を黒でそれぞれ表示する。いわば、ＬＣＤコントローラ５５は、図形の線を表示させる領域を表示領域５０Ａのみに限定するとともに、待機状態とは白黒が反転するように、図形の線を表示させる。これにより、例えば、表示画面５０において、図５に示されるコピー中画面が表示される。
【００８０】
このような処理は、ＬＣＤコントローラ５５が、例えば、第１のバックライト５１の点灯を停止して第２のバックライト５２を点灯させるとともに、表示領域５０Ａのうち「コピー中  Ａ４」を表す図形５８の線の部分において第２のバックライト５２からの光が透過するように当該図形５８の線の部分に対応する液晶の電界の大きさを制御し、当該図形５８の線を除く部分で第２のバックライト５２からの光が遮断されるように、当該図形５８の線を除く部分に対応する液晶の電界の大きさを制御することにより実現することができる。
【００８１】
或いは、ＬＣＤコントローラ５５は、図６に示されるように、操作ボタン５９を表す図形の線の部分を白、操作ボタン５９を表す図形の線を除く部分（背景）を黒でそれぞれ表示する。ここにおいて、操作ボタン５９を表す図形の線は、「ＳＴＯＰ」である文字を囲む枠５９Ａと、「ＳＴＯＰ」である文字の線５９Ｂとからなる。
【００８２】
以上に示されるように、複合機１が待機状態にあるときには、表示装置Ａは、表示画面５０において、第１のバックライト５１による光を透過しない部分により図形の線を表示させる。その一方で、複合機１がコピー中の状態では、表示装置Ａは、表示画面５０の一部である表示領域５０Ａにおいて、第２のバックライト５２による光を透過した部分により、いわゆる白抜き状態（白黒反転させた状態）で図形の線を表示させる。
【００８３】
これにより、複合機１によりコピーが行われていない状態、つまり、表示画面５０に表示される図形が多い状態では、図形が表示画面５０全体に表示される一方で、複合機１によりコピーが行われている状態では、コピーを行うに際して必要最小限の図形のみが表示画面５０の一部（表示領域５０Ａ）に集約した状態で表示される。その結果、ユーザによる視認性及び操作性を高めることができる。
【００８４】
尚、図示はしていないが、ＬＣＤコントローラ５５は、表示電力供給中止モードが選択されているときにコピーの実行が指示されたときには、電源部５４によるＬＣＤ１１への駆動電力の供給を中止する。これにより、ＬＣＤ１１による消費電力をより抑制することができる。
【００８５】
その一方で、ＬＣＤコントローラ５５は、通常表示モードが選択されているときにコピーの実行が指示されたときには、表示画面５０において、図形の線の部分を黒、図形の線を除く部分（背景）を白でそれぞれ表示する。これにより、図７に示されるようなコピー中画面が表示される。
【００８６】
このような処理は、ＬＣＤコントローラ５５が、第１のバックライト５１の点灯を維持させたまま、表示領域５０において、「Ａ４コピー中です」を表す図形の線の部分において第１のバックライト５１からの光が遮断されるように当該図形の線の部分に対応する液晶の電界の大きさを制御し、当該図形の線を除く部分で第１のバックライト５１からの光が透過されるように、当該図形の線を除く部分に対応する液晶の電界の大きさを制御することにより実現することができる。
【００８７】
図８は、本発明の一実施形態に係る表示装置Ａの基本動作の一例を示したフローチャートである。ＬＣＤコントローラ５５は、図示しない電源ボタンが操作されることにより複合機１の電源が投入されたときには（ステップＳ１）、コントローラ１０から、待機画面を表示するための図形を表す図形情報が送られてくるので、この図形情報を図形情報受信部５３により受け付け、受け付けた図形情報で表される図形を含む待機画面（図４参照）を通常表示モードで表示する（ステップＳ２及びＳ３）。
【００８８】
待機画面が表示画面５０に表示されている状態でコピーの実行が指示されたときには（ステップＳ４のＹＥＳ）、コントローラ１０から、コピー中画面（図５〜図７参照）を表示するための図形を表す図形情報が送られてくる。その際、ＬＣＤコントローラ５５は、いずれのモードが選択されているかを判断する（ステップＳ５）。
【００８９】
例えば、ＬＣＤコントローラ５５は、メモリに、省エネルギー表示モードのフラグ、表示電力供給中止モードのフラグ、及び、通常表示モードのフラグのうちいずれのフラグが保存されているかを判断する。尚、コントローラ１０は、ＬＣＤコントローラ５５に各モードのフラグをセットするようにしてもよい。
【００９０】
ＬＣＤコントローラ５５は、省エネルギー表示モードが選択されていると判断したときには（ステップＳ６のＹＥＳ）、コントローラ１０から送られてくる図形情報を図形情報受信部５３により受け付け、受け付けた図形情報で表される図形を含むコピー中画面（図５及び図６参照）を省エネルギー表示モードで表示する（ステップＳ７及びＳ１０）。
【００９１】
或いは、ＬＣＤコントローラ５５は、省エネルギー表示モードではなく、表示電力供給中止モードが選択されていると判断したときには（ステップＳ６のＮＯ、ステップＳ８のＹＥＳ）、表示電力供給中止モードを実行する（ステップＳ９）。これにより、ＬＣＤ５への駆動電力の供給がストップするため、表示画面５０には何も表示されない。
【００９２】
或いは、ＬＣＤコントローラ５５は、省エネルギー表示モード、及び、表示電力供給中止モードのいずれもが選択されていないと判断したときには（ステップＳ６のＮＯ、ステップＳ８のＮＯ）、通常表示モードが選択されていると判断して、以下の処理を行う。
【００９３】
ここにおいて、メモリには、先述されたように、省エネルギー表示モード、表示電力供給中止モード、及び通常表示モードのいずれかのフラグがセットされる。或いは、ＬＣＤコントローラ５５には、先述されたように、省エネルギー表示モード、表示電力供給中止モード、及び通常表示モードのいずれかのフラグが、コントローラ１０によりセットされる。
【００９４】
これにより、省エネルギー表示モード、及び、表示電力供給中止モードのいずれもが選択されていない場合には、メモリには通常表示モードのフラグが保存されていることが判る。或いは、ＬＣＤコントローラ５５には、コントローラ１０により通常表示モードのフラグがセットされていることが判る。
【００９５】
したがって、ＬＣＤコントローラ５５は、省エネルギー表示モード、及び、表示電力供給中止モードのいずれもが選択されていない場合には、通常表示モードが選択されていると判断する。
【００９６】
ＬＣＤコントローラ５５は、コントローラ１０から送られてくる図形情報を図形情報受信部５３により受け付け、受け付けた図形情報で表される図形を含むコピー中画面（図７参照）を通常表示モードで表示する（ステップＳ１１及びＳ１２）。
【００９７】
ＬＣＤコントローラ５５は、ストップ／クリアボタンである操作ボタン１７Ｇが操作されるか、予め設定された部数のコピーが完了するまでの間（ステップＳ１３のＮＯ）、ステップＳ９、ステップＳ１０、及び、ステップＳ１２のいずれかの状態を維持する。ＬＣＤコントローラ５５は、操作ボタン１７Ｇが操作されるか、予め設定された部数のコピーが完了したときには（ステップＳ１３のＹＥＳ）、ステップＳ２の処理に戻る。
【００９８】
尚、本実施形態において、モノクロ表示を行う表示画面５０を用いたが、モノクロ表示を行う表示画面５０に代わって、カラー表示を行う表示画面を用いてもよい。このようなカラー表示を行う表示画面において、第２のバックライト５２による光が透過した部分で図形の線を表示することにより、先述された作用及び効果を奏することができる。
【００９９】
また、本実施形態において、ＬＣＤコントローラ５５は、省エネルギー表示モードでは、コントローラ１０から、表示画面５０において、図形の線が黒色で表示される一方で当該図形の線を除く部分が白色で表示される図形情報を受け付け、表示画面５０において当該図形の線の色と当該図形の線を除く部分の色とが白黒反転するように当該図形の線を表示している。
【０１００】
しかしながら、ＬＣＤコントローラ５５が、コントローラ１０から、表示画面５０において、図形の線が白色で表示される一方で当該図形の線を除く部分が黒色で表示される図形情報を受け付け、当該図形の線の色と当該図形の線を除く部分の色とを反転させずに当該図形の線を表示してもよい。このようなコントローラ１０による制御によっても、ＬＣＤコントローラ５５が省エネルギー表示モードを実行することができる。
【０１０１】
尚、本実施形態では、複合機１は、待機画面を通常表示モードで表示している。しかしながら、この例には限られず、省エネルギー表示モードが選択されているときには、図４に示されている操作ボタン５６や文字５７の一部について、当該一部の操作ボタン５６や文字５７を表す図形の線を表示画面５０の一部の表示領域で白抜き表示してもよい。この場合、複合機１は、表示画面において、当該一部の操作ボタン５６や文字５７を表す図形の線を除く部分を黒で表示する。
【０１０２】
そして、このような省エネルギー表示モードによる表示を、例えば、モード切換ボタン１７Ｅの操作により通常表示モードが選択されたときに、複合機１は、元の表示、すなわち、図４に示される通常表示モードによる表示に切り替える。
【０１０３】
また、本実施形態では、省エネルギー表示モードによる表示画面５０の一例として、コピー中画面が表示されているが、プリント中画面、スキャニング中画面、ファクシミリ通信中画面を省エネルギー表示モードで表示してもよいことは言うまでもない。
【符号の説明】
【０１０４】
１    複合機
２    画像読取部
５    ＬＣＤ
１０    コントローラ
１７Ｅ    モード切替ボタン
４０    画像形成部
５０    表示画面
５０Ａ〜５０Ｉ    表示領域
５１    第１のバックライト
５２    第２のバックライト
５３    図形情報受信部
５４    電源部
５５    ＬＣＤコントローラ
５８    文字
５９    操作ボタン
【図１】
2011137976.tif 000003
【図２】
2011137976.tif 000004
【図３】
2011137976.tif 000005
【図４】
2011137976.tif 000006
【図５】
2011137976.tif 000007
【図６】
2011137976.tif 000008
【図７】
2011137976.tif 000009
【図８】
2011137976.tif 000010